(57)【要約】【課題】本発明は、設計デザインの独自性や自由度が制約されずに自分で組み立てる組立式ウッドデッキで独自性や自身の創意工夫が発揮出来、十分な満足感が得られ、更に独創性のある既存施工例を見本にして満足感が得られる完成施工例を容易に創作出来る組立式デッキセットの発注システムを提供することを可能にすることを目的としている。【解決手段】既存施工例選択手段により選択された既存施工例、或いは既存施工例修正手段により修正された修正施工例、或いは新規施工例構築手段により構築された新規施工例の中から所望の施工例を選択し、デッキサイズ指定手段により指定されたデッキサイズに応じて完成予想施工例構築手段により完成予想施工例を構築し、これを発注出来るように構成したことを特徴とする。【選択図】      図３
2004185274.tif 000002
【特許請求の範囲】
【請求項１】
組立式デッキセットの発注システムであって、
過去に発注を受けた組立式デッキセットの既存施工例を記憶する既存施工例記憶手段と、
前記既存施工例記憶手段に記憶された既存施工例の中から特定の既存施工例を選択する既存施工例選択手段と、
前記既存施工例選択手段により選択された特定の既存施工例の一部を修正可能な既存施工例修正手段と、
デッキの平面形状を記憶する平面形状記憶手段と、
前記平面形状記憶手段に記憶されたデッキの平面形状の中から特定の平面形状を選択する平面形状選択手段と、
平面形状選択手段により選択されたデッキの平面形状に対して出入口の数及び位置を選択する出入口選択手段と、
デッキを構成する基礎部材、床部材、フェンス部材、柱部材、階段部材、接続部材等の組立部品を記憶する組立部品記憶手段と、
前記組立部品記憶手段に記憶された組立部品の中から特定の組立部品を選択する組立部品選択手段と、
前記平面形状選択手段により選択されたデッキの平面形状と、前記出入口選択手段により選択された出入口の数及び位置と、前記組立部品選択手段により選択された組立部品とに基づいて新規施工例を構築する新規施工例構築手段と、
デッキサイズを指定するデッキサイズ指定手段と、
前記既存施工例選択手段により選択された既存施工例、或いは前記既存施工例修正手段により修正された修正施工例、或いは前記新規施工例構築手段により構築された新規施工例の中から選択的に前記デッキサイズ指定手段により指定されたデッキサイズに応じて完成予想施工例を構築する完成予想施工例構築手段と、
を有することを特徴とする組立式デッキセットの発注システム。
【発明の詳細な説明】
【０００１】
【発明の属する技術分野】
本発明は、住宅等のエクステリアとして、読書等の趣味やガーデニング、ホームパーティ、バーベキュー等を行うバルコニーが組立式デッキで構成され、その組立式デッキセットの発注システムに関するものである。
【０００２】
【従来の技術】
住宅等のエクステリアとして、読書等の趣味やガーデニング、ホームパーティ、バーベキュー等を行うバルコニーがウッドデッキにより設計されたものが提案されており、休日を利用して自分で手軽に組み立てられる組立式ウッドデッキが提案されている（例えば、特許文献１参照。）。また、種々の機能を備えたウッドデッキも提案されている（例えば、特許文献２〜６参照。）。
【０００３】
これ等のウッドデッキは製造メーカが提案する完成施工例をカタログの中から選択する場合が一般であった。
【０００４】
【特許文献１】
特開２０００−２３４３８２号公報
【特許文献２】
特開平１１−１５４８７号公報
【特許文献３】
特開２００２−１１５３１８号公報
【特許文献４】
特開２００１−３４９０６８号公報
【特許文献５】
特開２００２−２０１８０３号公報
【特許文献６】
特開２００２−１６７９８２号公報
【０００５】
【発明が解決しようとする課題】
しかしながら、前述の従来例では、設計デザインの独自性や自由度が制約されるため自分で組み立てる組立式ウッドデッキでありながら独自性や自身の創意工夫が発揮出来ず、十分な満足感が得られないという問題があった。
【０００６】
また、製造メーカが提案する完成施工例以外で第三者が設計デザインした独創性のある既存施工例を見本にして満足感が得られる完成施工例を容易に創作したいという要望もあった。
【０００７】
本発明は前記課題を解決するものであり、その目的とするところは、設計デザインの独自性や自由度が制約されずに自分で組み立てる組立式ウッドデッキで独自性や自身の創意工夫が発揮出来、十分な満足感が得られ、更に独創性のある既存施工例を見本にして満足感が得られる完成施工例を容易に創作出来る組立式デッキセットの発注システムを提供せんとするものである。
【０００８】
【課題を解決するための手段】
前記目的を達成するための本発明に係る組立式デッキセットの発注システムは、組立式デッキセットの発注システムであって、過去に発注を受けた組立式デッキセットの既存施工例を記憶する既存施工例記憶手段と、前記既存施工例記憶手段に記憶された既存施工例の中から特定の既存施工例を選択する既存施工例選択手段と、前記既存施工例選択手段により選択された特定の既存施工例の一部を修正可能な既存施工例修正手段と、デッキの平面形状を記憶する平面形状記憶手段と、前記平面形状記憶手段に記憶されたデッキの平面形状の中から特定の平面形状を選択する平面形状選択手段と、平面形状選択手段により選択されたデッキの平面形状に対して出入口の数及び位置を選択する出入口選択手段と、デッキを構成する基礎部材、床部材、フェンス部材、柱部材、階段部材、接続部材等の組立部品を記憶する組立部品記憶手段と、前記組立部品記憶手段に記憶された組立部品の中から特定の組立部品を選択する組立部品選択手段と、前記平面形状選択手段により選択されたデッキの平面形状と、前記出入口選択手段により選択された出入口の数及び位置と、前記組立部品選択手段により選択された組立部品とに基づいて新規施工例を構築する新規施工例構築手段と、デッキサイズを指定するデッキサイズ指定手段と、前記既存施工例選択手段により選択された既存施工例、或いは前記既存施工例修正手段により修正された修正施工例、或いは前記新規施工例構築手段により構築された新規施工例の中から選択的に前記デッキサイズ指定手段により指定されたデッキサイズに応じて完成予想施工例を構築する完成予想施工例構築手段とを有することを特徴とする。
【０００９】
本発明は、上述の如く構成したので、既存施工例選択手段により選択された既存施工例、或いは既存施工例修正手段により修正された修正施工例、或いは新規施工例構築手段により構築された新規施工例の中から所望の施工例を選択し、デッキサイズ指定手段により指定されたデッキサイズに応じて完成予想施工例構築手段により完成予想施工例を構築し、これを発注することが出来るので、設計デザインの独自性や自由度が制約されずに自分で組み立てる組立式ウッドデッキで独自性や自身の創意工夫が発揮出来、十分な満足感が得られ、更に独創性のある既存施工例を見本にして満足感が得られる完成施工例を容易に創作出来る。
【００１０】
【発明の実施の形態】
図により本発明に係る組立式デッキセットの発注システムの一実施形態を具体的に説明する。図１は本発明に係る組立式デッキセットの発注システムにより発注される組立式デッキセットの構成部品を示す斜視図、図２は本発明に係る組立式デッキセットの発注システムの制御系の構成を示すブロック図、図３は本発明に係る組立式デッキセットの発注システムにより組立式デッキセットを発注する様子を示すフローチャート、図４は既存施工例を選択する既存施工例選択画面を示す図、図５はデッキの平面形状を選択する平面形状選択画面を示す図、図６は出入口の数及び位置を選択する出入口選択画面を示す図、図７はデッキを構成する基礎部材を選択する基礎部材選択画面を示す図、図８はデッキを構成する床部材を選択する床部材選択画面を示す図、図９はデッキを構成するフェンス部材を選択するフェンス部材選択画面を示す図、図１０はデッキを構成する柱部材を選択する柱部材選択画面を示す図、図１１はデッキを構成する階段部材を選択する階段部材選択画面を示す図、図１２はデッキサイズを指定するデッキサイズ指定画面を示す図、図１３は完成予想施工例を表示する完成予想施工例表示画面を示す図、図１４は見積額を表示する見積額表示画面を示す図、図１５は発注を確定する発注画面を示す図である。
【００１１】
図１は本発明に係る組立式デッキセットの発注システムにより発注される組立式デッキセットの構成部品を示す斜視図であり、住宅等のエクステリアとして、読書等の趣味やガーデニング、ホームパーティ、バーベキュー等を行うバルコニー等を構成する組立式デッキ１は、基礎部材２、床部材３、フェンス部材（手摺部材４ａを含む）４、柱部材５、階段部材６、及びこれ等の各部品を連結固定するための図示しない接続部材等により構成されている。尚、８は組立式デッキ１の出入口である。
【００１２】
組立式デッキ１を構成する基礎部材２、床部材３、フェンス部材４、手摺部材４ａ、柱部材５、階段部材６の材質は、人口木材製、集成材製、樹脂製等で構成することが出来、接続部材は金属製や樹脂製等で構成することが出来る。
【００１３】
図２は本発明に係る組立式デッキセットの発注システムの制御系の構成を示すブロック図であり、システム会社Ａには、ＣＰＵ（中央演算処理装置）やメモリ等が装備されたコンピュータシステムにより構築された制御部１８や記憶手段となる各種データベース等が設けられている。
【００１４】
図２において、既存施工例データベース（以下、「既存施工例ＤＢ」という）９は、発注者Ｂにより過去に本発明に係る組立式デッキセットの発注システムを利用して過去に発注を受けた組立式デッキセットの既存施工例を記憶する既存施工例記憶手段である。尚、既存施工例ＤＢ９に製造メーカが施工パターンとして用意した施工例を含めても良い。
【００１５】
デッキ平面形状データベース（以下、「デッキ平面形状ＤＢ」という）１０は組立式デッキ１の平面形状を記憶する平面形状記憶手段であり、各種のデッキ平面形状及びその形状に応じた出入口８の配置及び数が複数種類格納されている。基礎部材データベース（以下、「基礎部材ＤＢ」という）１１は各種のデザインや材質の基礎部材２及びそれ等の価格を記憶する基礎部材情報記憶手段である。
【００１６】
床部材データベース（以下、「床部材ＤＢ」という）１２は各種のデザインや材質の床部材３及びそれ等の価格を記憶する床部材情報記憶手段であり、フェンス部材データベース（以下、「フェンス部材ＤＢ」という）１３は各種のデザインや材質のフェンス部材４及びそれ等の価格を記憶するフェンス部材情報記憶手段である。
【００１７】
柱部材データベース（以下、「柱部材ＤＢ」という）１４は各種のデザインや材質の柱部材５及びそれ等の価格を記憶する柱部材情報記憶手段であり、階段部材データベース（以下、「階段部材ＤＢ」という）１５は各種のデザインや材質の階段部材６及びそれ等の価格を記憶する階段部材情報記憶手段である。
【００１８】
また、接続部材データベース（以下、「接続部材ＤＢ」という）１７は各種のデザインや材質の接続部材及びそれ等の価格を記憶する接続部材情報記憶手段である。
【００１９】
これ等の基礎部材ＤＢ１１、床部材ＤＢ１２、フェンス部材ＤＢ１３、柱部材ＤＢ１４、階段部材ＤＢ１５、接続部材ＤＢ１７は、組立式デッキ１の各種組立部品の各情報を記憶する組立部品記憶手段を構成する。
【００２０】
制御部１８は、ＣＰＵ（中央演算処理装置）やメモリ等が装備されたコンピュータシステムにより構成されており、既存施工例記憶手段となる既存施工例ＤＢ９に記憶された既存施工例の中から特定の既存施工例を選択する既存施工例選択手段、該既存施工例選択手段により選択された特定の既存施工例の一部を修正可能な既存施工例修正手段、平面形状記憶手段となるデッキ平面形状ＤＢ１０に記憶された組立式デッキ１の平面形状の中から特定の平面形状を選択する平面形状選択手段、該平面形状選択手段により選択された組立式デッキ１の平面形状に対して出入口８の数及び位置を選択する出入口選択手段を兼ねている。
【００２１】
更に制御部１８は、床部材ＤＢ１２、フェンス部材ＤＢ１３、柱部材ＤＢ１４、階段部材ＤＢ１５、接続部材ＤＢ１７等の組立部品記憶手段に記憶された各組立部品の中から特定の組立部品を選択する組立部品選択手段、前記平面形状選択手段により選択された組立式デッキ１の平面形状と、前記出入口選択手段により選択された出入口８の数及び位置と、前記組立部品選択手段により選択された組立部品とに基づいて新規施工例を構築する新規施工例構築手段を兼ねている。
【００２２】
更に制御部１８は、組立式デッキ１のサイズを指定するデッキサイズ指定手段、前記既存施工例選択手段により選択された既存施工例、或いは前記既存施工例修正手段により修正された修正施工例、或いは前記新規施工例構築手段により構築された新規施工例の中から選択的に前記デッキサイズ指定手段により指定されたデッキサイズに応じて完成予想施工例を構築する完成予想施工例構築手段等を兼ねている。
【００２３】
更に、制御部１８は、組立部品記憶手段となる基礎部材ＤＢ１１、床部材ＤＢ１２、フェンス部材ＤＢ１３、柱部材ＤＢ１４、階段部材ＤＢ１５、接続部材ＤＢ１７等に格納された各種部品の価格に基づいて、完成予想施工例で使用される各部品の価格から見積金額を算出する見積金額算出手段、組立式デッキ１の各部品を製造する部品工場や商社Ｃ等の製造元情報を格納した製造元データベース（以下、「製造元ＤＢ」という）１９、本発明に係る組立式デッキセットの発注システムを利用して組立式デッキ１を発注した発注者Ｂの個人情報を格納した発注者データベース（以下、「発注者ＤＢ」という）２０等に格納された地理的条件、或いは各部品の在庫数や製造予定等から輸送コストや納期等を算定する手段を兼ねている。
【００２４】
また、制御部１８にはサーバ装置１８ａが設けられており、インターネット２１等を介して発注者Ｂや部品工場や商社Ｃ等の各種の外部端末装置との間で電子メールでの送受信を行ったり、サーバ装置１８ａによりインターネット２１上に提供されるウエブサイト（ホームページ）にアクセスして本発明に係る組立式デッキセットの発注システムが利用出来るようになっている。
【００２５】
次に図３を用いて、本発明に係る組立式デッキセットの発注システムを利用する様子について説明する。先ず、発注者Ｂは、外部端末装置となるパーソナルコンピュータ（以下、単に「パソコン」という）、携帯電話機、ＰＨＳ（ＰｅｒｓｏｎａｌＨａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ；携帯情報端末機）等を利用してインターネット２１を介してシステム会社Ａがインターネット２１上に提供するウエブサイト（ホームページ）にアクセスする。
【００２６】
ここで、本発明に係る組立式デッキセットの発注システムにおいては、希望の組立式デッキ１を選択する方法として、過去に発注された既存施工例や製造メーカが施工パターンとして用意した施工例から選択し、適宜修正する方法と、組立式デッキ１の各部品のデザイン等を個々に選択して自分自身で初めから構築する方法が用意されている。
【００２７】
先ず、過去に発注された既存施工例や製造メーカが施工パターンとして用意した施工例から選択する方法について、図３を用いて説明する。図３のステップＳ１において、図示しない選択画面で「既存施工例等から選択する」ボタンをクリックすると、既存施工例ＤＢ９に格納された既存施工例や製造メーカが施工パターンとして用意した施工例が図４に示す既存施工例選択画面２２に表示される。そして、既存施工例選択画面２２に表示された既存施工例や製造メーカが施工パターンとして用意した施工例から所望の既存施工例等を選択する。図４に示す既存施工例選択画面２２は既存施工例選択手段の一部を構成する。
【００２８】
次に、ステップＳ２において、各部品の変更がしたい場合には、図示しない「部品変更ボタン」をクリックし、更に図示しない「各部品ボタン」をクリックすると、クリックした部品に応じて、適宜、基礎部材ＤＢ１１に格納された基礎部材２が図７に示す基礎部材選択画面２３に表示され、床部材ＤＢ１２に格納された床部材３が図８に示す床部材選択画面２４に表示され、フェンス部材ＤＢ１３に格納されたフェンス部材４が図９に示すフェンス部材選択画面２５に表示され、柱部材ＤＢ１４に格納された柱部材５が図１０に示す柱部材選択画面２６に表示され、階段部材ＤＢ１５に格納された階段部材６が図１１に示す階段部材選択画面２７に表示される。これ等の各選択画面２３〜２７は既存施工例修正手段及び組立部品選択手段の一部を構成する。
【００２９】
そして、ステップＳ３において、各選択画面２３〜２７を利用して各部品のデザインや材質や色を選択し、ステップＳ４において、図示しない「デッキ平面形状選択ボタン」をクリックすると、デッキ平面形状ＤＢ１０に格納された各種のデッキ平面形状が図５に示すデッキ平面形状選択画面２８に表示され、該デッキ平面形状選択画面２８から所望のデッキ平面形状を選択する。デッキ平面形状選択画面２８は既存施工例修正手段及び平面形状選択手段の一部を構成する。
【００３０】
更に図示しない「出入口の位置及び数選択ボタン」をクリックすると、デッキ平面形状ＤＢ１０に格納された特定のデッキ平面形状に対応する各種の出入口８の位置及び数が図６に示す出入口の位置及び数選択画面２９に表示され、該出入口の位置及び数選択画面２９から所望の出入口の位置及び数を選択する。出入口の位置及び数選択画面２９は既存施工例修正手段及び出入口選択手段の一部を構成する。
【００３１】
そして、図５に示すデッキ平面形状選択画面２８で選択したデッキ平面形状に基づいて、図１２に示すデッキサイズ指定画面３０を利用して組立式デッキ１のデッキサイズを指定する。デッキサイズ指定画面３０は既存施工例修正手段及びデッキサイズ指定手段の一部を構成する。
【００３２】
次に、ステップＳ５において、図４の既存施工例選択画面２２で選択された既存施工例や製造メーカが施工パターンとして用意した施工例、図５のデッキ平面形状選択画面２８で選択修正されたデッキ平面形状、図６の出入口の位置及び数選択画面２９で選択修正された出入口８の位置及び数、図７の基礎部材選択画面２３で選択修正された基礎部材２、図８の床部材選択画面２４で選択修正された床部材３、図９のフェンス部材選択画面２５で選択修正されたフェンス部材４、図１０の柱部材選択画面２６で選択修正された柱部材５、図１１の階段部材選択画面２７で選択修正された階段部材６、図１２のデッキサイズ指定画面３０により指定されたデッキサイズに基づいて、制御部１８により構成された完成予想施工例構築手段により完成予想施工例が自動的に構築され、図１３に示す完成予想施工例表示画面３１に完成予想図を表示する。
【００３３】
この完成予想施工例表示画面３１に表示される完成予想図は、立体画像（３Ｄ画像）で表示され、組立式デッキ１に付随する住宅も何パターンか選べるようになっており、完成した組立式デッキ１と住宅との相対的な設計イメージが実際に近い感覚で、遠景、近景、上下左右等あらゆる角度で確認出来るように構成されている。
【００３４】
ステップＳ６において、発注者Ｂは図１３の完成予想施工例表示画面３１に示された完成予想施工例を確認し、再度、完成予想施工例を修正したい場合には、基礎部材選択画面２３、床部材選択画面２４、フェンス部材選択画面２５、柱部材選択画面２６、階段部材選択画面２７、出入口の位置及び数選択画面２９、デッキサイズ指定画面３０等を適宜利用して各種部品や出入口の位置や数の選択や、デッキサイズの設定等を変更し（ステップＳ７）、完成予想施工例を再構築する（ステップＳ５）。
【００３５】
前記ステップＳ６において、図１３の完成予想施工例表示画面３１に示された完成予想施工例に満足した場合には、図示しない「見積りボタン」をクリックする。「見積りボタン」をクリックすると、図１３の完成予想施工例表示画面３１に示された完成予想施工例に応じて、制御部１８は使用された基礎部材２、床部材３、フェンス部材４、柱部材５、階段部材６、及び接続部材等の個数を算出し、各基礎部材ＤＢ１１、床部材ＤＢ１２、フェンス部材ＤＢ１３、柱部材ＤＢ１４、階段部材ＤＢ１５、接続部材ＤＢ１７に格納された単価を乗じて、図１４に示す見積額表示画面３２に各部品の種類（商品名や型式等）と個数と各部品毎の金額と総合計金額等を表示する（ステップＳ８）。
【００３６】
次に、ステップＳ９において、図１４に示す見積額表示画面３２に提示された見積金額に満足せず、再度、完成予想施工例を修正したい場合には、基礎部材選択画面２３、床部材選択画面２４、フェンス部材選択画面２５、柱部材選択画面２６、階段部材選択画面２７、出入口の位置及び数選択画面２９、デッキサイズ指定画面３０等を適宜利用して各種部品や出入口の位置や数の選択や、デッキサイズの設定等を変更し（ステップＳ１０）、完成予想施工例を再構築して（ステップＳ１１）、再度、図１４に示す見積額表示画面３２に各部品の種類（商品名や型式等）と個数と各部品毎の金額と総合計金額等を表示する（ステップＳ８）。
【００３７】
前記ステップＳ９において、図１３の完成予想施工例表示画面３１に示された完成予想施工例及び図１４の見積額表示画面３２に示された見積金額に満足した場合には、図示しない「発注ボタン」をクリックする。「発注ボタン」をクリックすると、図１５に示す発注画面３３が表示され、所定の記入欄に住所、氏名、電話番号、メールアドレス、納入場所、納期、決済方法等の必要事項を記入する（ステップＳ１２）。
【００３８】
発注画面３３には、今回発注された施工例を既存施工例として、当サイトに掲載しても良いか否かの許諾を求める掲載許諾欄３３ａが設けられており、掲載して良い場合には掲載可ボタン３３ｂをクリックし、掲載を望まない場合には掲載不可ボタン３３ｃをクリックした後、送信ボタン３３ｄをクリックして送信する。
【００３９】
ステップＳ１３において、図１５の発注画面３３で掲載を許諾された施工例は、既存施工例として既存施工例ＤＢ９に格納され（ステップＳ１４）、図４に示す既存施工例選択画面２２に掲載される（ステップＳ１５）。
【００４０】
今回発注された施工例を既存施工例として掲載するに当たっては、設計デザインのみに限定して掲載する場合や、住所、氏名等を併せて掲載するように適宜選択することが出来る。また、掲載を許諾した発注者Ｂに対しては登録謝礼金を支払ったり、割引をしたり、その他の種々の特典が受けられるようにすることが出来る。
【００４１】
また、納入場所に関しては、輸送コストを考慮して所定の国や地域に限定するように適宜設定することも出来る。
【００４２】
最終的に発注された図１３の完成予想施工例表示画面３１に示された完成予想施工例に応じて、制御部１８は使用された基礎部材２、床部材３、フェンス部材４、柱部材５、階段部材６及び接続部材等の種類及び個数と、各部品の製造元情報及び発注者情報とを関連付けて受注部品データベース（以下、「受注部品ＤＢ」という）３４に格納し（ステップＳ１６）、各部品工場３５ａ〜３５ｆに必要な各部品の個数をインターネット２１を介して発注送信する（ステップＳ１７）。
【００４３】
各部品工場３５ａ〜３５ｆで製造された組立式デッキ１の各部品は集配センター３６に集められてデッキセットとされた後（ステップＳ１８）、一括して発注者Ｂが指定した納入場所に配送される（ステップＳ１９）。
【００４４】
次に、組立式デッキ１の各部品のデザイン等を個々に選択して自分自身で初めから構築する方法について説明する。先ず、図３のステップＳ２１において、図示しない選択画面で「個々に選択して初めから構築する」ボタンをクリックすると、デッキ平面形状ＤＢ１０に格納されたデッキ平面形状が図５に示すデッキ平面形状選択画面２８に表示される。
【００４５】
そして、図５に示すデッキ平面形状選択画面２８を利用して所望のデッキ平面形状を選択した後、図示しない「出入口の位置及び数選択ボタン」をクリックすると、デッキ平面形状ＤＢ１０に格納された特定のデッキ平面形状に対応する各種の出入口８の位置及び数が図６に示す出入口の位置及び数選択画面２９に表示され、該出入口の位置及び数選択画面２９から所望の出入口の位置及び数を選択する（ステップＳ２２）。
【００４６】
次に、ステップＳ２３において、図示しない「各部品ボタン」をクリックすると、クリックした部品に応じて、適宜、基礎部材ＤＢ１１に格納された基礎部材２が図７に示す基礎部材選択画面２３に表示され、床部材ＤＢ１２に格納された床部材３が図８に示す床部材選択画面２４に表示され、フェンス部材ＤＢ１３に格納されたフェンス部材４が図９に示すフェンス部材選択画面２５に表示され、柱部材ＤＢ１４に格納された柱部材５が図１０に示す柱部材選択画面２６に表示され、階段部材ＤＢ１５に格納された階段部材６が図１１に示す階段部材選択画面２７に表示され、各選択画面２３〜２７を利用して各部品のデザインや材質や色を選択する。
【００４７】
そして、ステップＳ４において、図５に示すデッキ平面形状選択画面２８で選択したデッキ平面形状に基づいて、図１２に示すデッキサイズ指定画面３０を利用して組立式デッキ１のデッキサイズを指定する。デッキサイズ指定画面３０はここではデッキサイズ指定手段の一部を構成する。
【００４８】
次に、ステップＳ５において、図５のデッキ平面形状選択画面２８で選択されたデッキ平面形状、図６の出入口の位置及び数選択画面２９で選択された出入口８の位置及び数、図７の基礎部材選択画面２３で選択された基礎部材２、図８の床部材選択画面２４で選択された床部材３、図９のフェンス部材選択画面２５で選択されたフェンス部材４、図１０の柱部材選択画面２６で選択された柱部材５、図１１の階段部材選択画面２７で選択された階段部材６、図１２のデッキサイズ指定画面３０により指定されたデッキサイズに基づいて、制御部１８により構成された完成予想施工例構築手段により完成予想施工例が自動的に構築され、図１３に示す完成予想施工例表示画面３１に完成予想図を表示する。
【００４９】
そして、ステップＳ６〜ステップＳ１９は前述したと同様に行なわれる。
【００５０】
尚、前記実施形態では、手摺部材４ａがフェンス部材４の一部として一体的に構成された場合の一例について説明したが、フェンス部材４と手摺部材４ａとが別体で構成され、手摺部材４ａについてもフェンス部材４とは独立して選択出来る場合には、図示しない手摺部材情報記憶手段となる手摺部材データベース（手摺部材ＤＢ）に格納された各種の手摺部材４ａが図示しない手摺部材選択画面に表示され、選択可能に構成することも出来る。
【００５１】
上記構成によれば、既存施工例選択手段により選択された組立式デッキ１の既存施工例や製造メーカが施工パターンとして用意した施工例、或いは既存施工例修正手段により修正された組立式デッキ１の修正施工例、或いは新規施工例構築手段により構築された組立式デッキ１の新規施工例の中から所望の施工例を選択し、デッキサイズ指定手段により指定されたデッキサイズに応じて完成予想施工例構築手段により完成予想施工例を構築し、これを発注することが出来るので、設計デザインの独自性や自由度が制約されずに自分で組み立てる組立式ウッドデッキで独自性や自身の創意工夫が発揮出来、十分な満足感が得られ、更に独創性のある既存施工例を見本にして満足感が得られる完成施工例を容易に創作出来る。
【００５２】
【発明の効果】
本発明は、上述の如き構成と作用とを有するので、既存施工例選択手段により選択された既存施工例、或いは既存施工例修正手段により修正された修正施工例、或いは新規施工例構築手段により構築された新規施工例の中から所望の施工例を選択し、デッキサイズ指定手段により指定されたデッキサイズに応じて完成予想施工例構築手段により完成予想施工例を構築し、これを発注することが出来るので、設計デザインの独自性や自由度が制約されずに自分で組み立てる組立式ウッドデッキで独自性や自身の創意工夫が発揮出来、十分な満足感が得られ、更に独創性のある既存施工例を見本にして満足感が得られる完成施工例を容易に創作出来る。
【図面の簡単な説明】
【図１】本発明に係る組立式デッキセットの発注システムにより発注される組立式デッキセットの構成部品を示す斜視図である。
【図２】本発明に係る組立式デッキセットの発注システムの制御系の構成を示すブロック図である。
【図３】本発明に係る組立式デッキセットの発注システムにより組立式デッキセットを発注する様子を示すフローチャートである。
【図４】既存施工例を選択する既存施工例選択画面を示す図である。
【図５】デッキの平面形状を選択する平面形状選択画面を示す図である。
【図６】出入口の数及び位置を選択する出入口選択画面を示す図である。
【図７】デッキを構成する基礎部材を選択する基礎部材選択画面を示す図である。
【図８】デッキを構成する床部材を選択する床部材選択画面を示す図である。
【図９】デッキを構成するフェンス部材を選択するフェンス部材選択画面を示す図である。
【図１０】デッキを構成する柱部材を選択する柱部材選択画面を示す図である。
【図１１】デッキを構成する階段部材を選択する階段部材選択画面を示す図である。
【図１２】デッキサイズを指定するデッキサイズ指定画面を示す図である。
【図１３】完成予想施工例を表示する完成予想施工例表示画面を示す図である。
【図１４】見積額を表示する見積額表示画面を示す図である。
【図１５】発注を確定する発注画面を示す図である。
【符号の説明】
Ａ…システム会社
Ｂ…発注者
Ｃ…部品工場や商社
１…組立式デッキ
２…基礎部材
３…床部材
４…フェンス部材
４ａ…手摺部材
５…柱部材
６…階段部材
８…出入口
９…既存施工例ＤＢ
１０…デッキ平面形状ＤＢ
１１…基礎部材ＤＢ
１２…床部材ＤＢ
１３…フェンス部材ＤＢ
１４…柱部材ＤＢ
１５…階段部材ＤＢ
１７…接続部材ＤＢ
１８…制御部
１８ａ…サーバ装置
１９…製造元ＤＢ
２０…発注者ＤＢ
２１…インターネット
２２…既存施工例選択画面
２３…基礎部材選択画面
２４…床部材選択画面
２５…フェンス部材選択画面
２６…柱部材選択画面
２７…階段部材選択画面
２８…デッキ平面形状選択画面
２９…出入口の位置及び数選択画面
３０…デッキサイズ指定画面
３１…完成予想施工例表示画面
３２…見積額表示画面
３３…発注画面
３３ａ…掲載許諾欄
３３ｂ…掲載可ボタン
３３ｃ…掲載不可ボタン
３３ｄ…送信ボタン
３４…受注部品ＤＢ
３５ａ〜３５ｆ…部品工場
３６…集配センター
【図１】
2004185274.tif 000003
【図２】
2004185274.tif 000004
【図３】
2004185274.tif 000005
【図４】
2004185274.tif 000006
【図５】
2004185274.tif 000007
【図６】
2004185274.tif 000008
【図７】
2004185274.tif 000009
【図８】
2004185274.tif 000010
【図９】
2004185274.tif 000011
【図１０】
2004185274.tif 000012
【図１１】
2004185274.tif 000013
【図１２】
2004185274.tif 000014
【図１３】
2004185274.tif 000015
【図１４】
2004185274.tif 000016
【図１５】
2004185274.tif 000017